(57)【要約】【課題】歯の隙間に糸状のフロスを挿入しやすく、プラーク（歯垢）や残滓等を取りやすく、歯茎に痛み等を感じさせることを低減し、それでいて、フロスが断線するのを防止する。【解決手段】糸状のフロス１の両端部を略Ｃ字状の保持部２に保持させた糸楊子である。フロス１をゴム材質にて形成する。フロス１にゴム弾性による伸縮性、及び、ゴム質に起因するプラークや残滓等を付着させる付着性を備えさせている。【選択図】        図１
2004174110.tif 000002
【特許請求の範囲】
【請求項１】
糸状のフロスの両端部を略Ｃ字状の保持部に保持させた糸楊子であって、フロスをゴム材質にて形成して、フロスにゴム弾性による伸縮性、及び、ゴム質に起因するプラークや残滓等を付着させる付着性を備えさせて成ることを特徴とする糸楊子。
【請求項２】
フロスの断面を角形にして成ることを特徴とする請求項１記載の糸楊子。
【請求項３】
フロスの表面に多数の突部をランダムに設けて成ることを特徴とする請求項１記載の糸楊子。
【請求項４】
フロスの表面に長さ方向に間隔を隔てて突リングを形成して成ることを特徴とする請求項１記載の糸楊子。
【請求項５】
フロスの表面に突条をねじ山状に形成して成ることを特徴とする請求項１記載の糸楊子。
【請求項６】
合成樹脂製の保持部に一体に柄を設け、柄の先端に妻楊子を形成して成ることを特徴とする請求項１記載の糸楊子。
【請求項７】
妻楊子の先端部をゴム質材にて成形して成ることを特徴とする請求項６記載の糸楊子。
【発明の詳細な説明】
【０００１】
【発明の属する技術分野】
本発明は、糸楊子に関し、詳しくは、歯の隙間に糸状のフロスを挿入しやすく、プラーク（歯垢）や残滓等を取りやすく、歯茎に痛み等を感じさせることを低減し、それでいて、フロスが断線するのを防止しようとする技術に係るものである。
【０００２】
【従来の技術】
従来より、虫歯の予防には、歯磨きが最も効果的とされており、歯の清掃器具としては、歯ブラシが一般的であり、電動式の歯ブラシも各種開発されている。歯ブラシで除去しにくい歯間用として、糸楊枝があるが一般的な普及とまでは至っておらず一部の人が併用している程度である。
【０００３】
歯は食物を噛み砕く他に、噛むことにより脳への刺激少なくなく、歯が損なわれると、体力や活力が大きく減退し、生活を豊かにできなくなるものである。
【０００４】
歯ブラシの開発傾向としては、口腔内の歯の汚れをいかに除去するかという点に集中しているが、歯や歯茎に痛みを与えないやさしいも求められている。
【０００５】
そこで、例えば、図４に示すように、糸楊子Ａａにおいては、フロス１ａは合成樹脂製の細線材にエッジを立てた硬質体にて形成されていた。（例えば、特許文献１参照）
このような特許文献１においては、フロス１ａがエッジを立てた硬質体であったから、フロス１ａを歯の隙間に挿入する際に、柔軟性が乏しくて歯の隙間に無理なく挿入し難く、残滓やプラークを取り除き難く、強く挿入する場合には歯や歯茎に痛みを感じさせたり、歯や歯茎を痛めたり、又、フロス１ａが断線されやすいなどという問題があった。
【０００６】
【特許文献１】
特開平１０−５７４０３号公報（図１）
【０００７】
【発明が解決しようとする課題】
本発明はこのような問題に鑑みてなされたものであり、歯の隙間に糸状のフロスを挿入しやすく、プラーク（歯垢）や残滓等を取りやすく、歯茎に痛み等を感じさせることを低減し、それでいて、フロスが断線するのを防止することができる糸楊子を提供することを目的とするものである。
【０００８】
【課題を解決するための手段】
請求項１の発明においては、糸状のフロス１の両端部を略Ｃ字状の保持部２に保持させた糸楊子であって、フロス１をゴム材質にて形成して、フロス１にゴム弾性による伸縮性、及び、ゴム質に起因するプラークや残滓等を付着させる付着性を備えさせていることを特徴とするものである。
【０００９】
このような構成によれば、ゴム材質にて形成されているフロス１はゴム弾性によって伸張し、例えば、歯並びが悪くて歯間の細く曲がった隙間にも必要に応じて細くなって進入させることができ、進入した後はゴム弾性によって元に戻るのであり、従来の剛性のフロス１ａに比べて、歯間の細く曲がっている奥の隙間にも円滑に進入させることができ、歯や歯茎に痛みを与えたり、傷つけるようなことを防止しながら、進入後は元の太さに戻って隙間に詰まった残滓やプラークを歯や歯茎等にやさしく取り除くことができる。
【００１０】
しかも、ゴム弾性の伸縮に伴うフロス１の表面においては、伸張時には表面積が著しく増すことと、ゴム質表面の粘着性との相乗によって他物の付着力を増すことができることから、フロス１にプラークや残滓等を多く付着させることができ、糸楊子の効果を高めることができ、口腔の衛生を保つことができる。
【００１１】
それでいて、ゴム材質のフロス１は伸縮することによって、従来のように応力の集中を防止することができ、断線を防止することができる。
【００１２】
請求項２の発明においては、フロス１の断面を角形にしていることを特徴とするものである。このような構成によれば、角形断面の稜線部１３において、ゴム材質でありながら、残滓やプラーク等を、一層、良好に除去できる。
【００１３】
請求項３の発明においては、フロス１の表面に多数の突部３をランダムに設けていることを特徴とするものである。このような構成によれば、表面の多数のランダムな突部３によって、残滓やプラーク等を、一層、良好に除去できる。
【００１４】
請求項４の発明においては、フロス１の表面に長さ方向に間隔を隔てて突リング４を形成していることを特徴とするものである。このような構成によれば、表面に長さ方向に間隔を隔ててフロス１の全周にわたる突リング４によって、残滓やプラーク等を、一層、良好に除去できる。
【００１５】
請求項５の発明においては、フロス１の表面に突条５をねじ山状に形成していることを特徴とするものである。このような構成によれば、フロス１の表面のねじ山状の突条５によって、糸楊子Ａを押し引き操作することで、フロス１をねじ回転させることができ、残滓やプラーク等を、一層、良好に除去できる。
【００１６】
請求項６の発明においては、合成樹脂製の保持部２に一体に柄９を設け、柄９の先端に妻楊子１０を形成していることを特徴とするものである。このような構成によれば、必要に応じて糸楊子Ａと妻楊子１０の使用がおこなえる。
【００１７】
請求項７の発明においては、妻楊子１０の先端部１４をゴム質材にて成形していることを特徴とするものである。このような構成によれば、妻楊子１０の使用に際しても、口腔内を傷つけるのを防止することができる。
【００１８】
【発明の実施の形態】
以下、本発明の実施の形態を説明する。図１（ａ）は側面図である。図２（ａ）はフロスの断面図である。
【００１９】
糸楊子Ａは糸状のフロス１の両端部を略Ｃ字状の保持部２に保持させているものであり、保持部２もしくは保持部２より延出している柄９を持ってフロス１を歯間に挿入して押し引きし、食後の歯間の残滓やプラーク（歯垢）を除去するものであり、使用後は捨てるものである。
【００２０】
本発明においては、フロス１をゴム弾性による伸縮性、及び、ゴム質によるプラークや残滓等を付着させる付着性を備えているゴム材質にて形成しているものである。ゴム材質としては、天然ゴム、エラストマーのような合成ゴムがあるが、市販の輪ゴム材でもよい。市販の輪ゴム材や他の素材のゴム材質においては、ゴム質に起因するプラークや残滓等を付着させる付着性を備えているものである。
【００２１】
フロス１の断面形状は、例えば、図２（ａ）に示すように丸形であるが、同図（ｂ）のように正方形や同図（ｃ）のように三角形や同図（ｄ）のように長方形であってもよく、断面形状は種々設計変更可能である。ところで、断面が長方形のフロス１は、長方形の短辺側が歯間に挿入されるように偏平となって保持部２に保持されるものである。又、フロス１は自由状態からやや伸張させた状態で保持部２に保持されるのであり、このときの径ｄは０．２〜０．５ｍｍ程度が好ましいが、寸法は変更することができる。
【００２２】
このように、ゴム材質にて形成されているフロス１はゴム弾性によって伸張し、例えば、歯並びが悪くて歯間の細く曲がった隙間にも必要に応じて細くなって進入させることができ、進入した後はゴム弾性によって元に戻るのであり、歯間の細く曲がっている奥の隙間にも円滑に進入させることができ、歯や歯茎に痛みを与えたり、傷つけるようなことを防止しながら、進入後は元の太さに戻って隙間に詰まった残滓やプラークを歯や歯茎等にやさしく取り除くことができるのである。
【００２３】
しかも、ゴム弾性の伸縮に伴うフロス１の表面においては、伸張時には表面積が著しく増すことと、ゴム質表面の粘着性との相乗によって他物の付着力を増すことができることから、フロス１にプラークや残滓等を多く付着させることができ、糸楊子の効果を高めることができ、口腔の衛生を保つことができるのである。
【００２４】
それでいて、ゴム材質のフロス１は伸縮することによって、従来のように応力の集中を防止することができ、断線を防止することができるのである。
【００２５】
この場合、図２（ｂ）（ｃ）（ｄ）に示すように、フロス１の断面形状を正方形にしたり、三角形にしたり、長方形にする際の角形断面の稜線部１３において、残滓やプラーク等を、一層、良好に除去できるのである。
【００２６】
図３（ａ）に示すように、フロス１の長さ方向の中央部を両端部に比べて細くしてもよく、細くした中央部を歯間に挿入しやすく、使いやすいものである。
【００２７】
図３（ｂ）に示すように、フロス１の表面に多数の突部３をランダムに、かつ、フロス１と一体化してもよく、表面の多数のランダムな突部３によって、残滓やプラーク等を、一層、良好に除去できるのである。又、フロス１の表面に長さ方向に間隔を隔てて突リング４を形成してもよく、表面に長さ方向に間隔を隔ててフロス１の全周にわたる突リング４によって、残滓やプラーク等を、一層、良好に除去できるのである。更に、フロス１の表面に突条５をねじ山状に形成してもよく、フロス１の表面のねじ山状の突条５によって、糸楊子Ａを押し引き操作することで、フロス１をねじ回転させることができ、残滓やプラーク等を、一層、良好に除去できるのである。
【００２８】
図１（ｂ）に示すように、合成樹脂製の保持部２には一体に柄９を延出してあり、柄９の先端部に妻楊子１０を形成していて、必要に応じて糸楊子Ａと妻楊子１０の使用がおこなえる。この場合、妻楊子１０の先端の外層部１１を内層部１２に比べて軟質のゴム材質にて成形していて、妻楊子１０の使用に際しても、口腔内を傷つけるのを防止することができるのである。外層部１１を内層部１２に比べて軟質材にて成形するのは、合成樹脂の二層（二色）成形によって容易に得ることができる。外層部１１はフロス１に比べてゴム硬度を高く（硬く）している。この場合、図１（ｃ）に示すように、妻楊枝１０の先端にゴム材質にて形成した先端部１４を接着して取り付けてあってもよいものである。
【００２９】
【発明の効果】
請求項１の発明においては、糸状のフロスの両端部を略Ｃ字状の保持部に保持させた糸楊子であって、フロスをゴム材質にて形成して、フロスにゴム弾性による伸縮性、及び、ゴム質に起因するプラークや残滓等を付着させる付着性を備えさせているから、ゴム材質にて形成されているフロスはゴム弾性によって伸張し、例えば、歯並びが悪くて歯間の細く曲がった隙間にも必要に応じて細くなって進入させることができ、進入した後はゴム弾性によって元に戻るのであり、歯間の細く曲がっている奥の隙間にも円滑に進入させることができ、歯や歯茎に痛みを与えたり、傷つけるようなことを防止しながら、進入後は元の太さに戻って隙間に詰まった残滓やプラークを歯や歯茎等にやさしく取り除くことができるという利点がある。しかも、ゴム弾性の伸縮に伴うフロスの表面においては、伸張時には表面積が著しく増すことと、ゴム質表面の粘着性との相乗によって他物の付着力を増すことができることから、フロスにプラークや残滓等を多く付着させることができ、糸楊子の効果を高めることができ、口腔の衛生を保つことができるという利点がある。それでいて、ゴム材質のフロスは伸縮することによって、従来のように応力の集中を防止することができ、断線を防止することができるという利点がある。
【００３０】
請求項２の発明においては、請求項１の効果に加えて、フロスの断面を角形にしているから、角形断面の稜線部において、残滓やプラーク等を、一層、良好に除去できるという利点がある。
【００３１】
請求項３の発明においては、請求項１の効果に加えて、フロスの表面に多数の突部をランダムに設けているから、表面の多数のランダムな突部によって、残滓やプラーク等を、一層、良好に除去できるという利点がある。
【００３２】
請求項４の発明においては、請求項１の効果に加えて、フロスの表面に長さ方向に間隔を隔てて突リングを形成しているから、表面に長さ方向に間隔を隔ててフロスの全周にわたる突リングによって、残滓やプラーク等を、一層、良好に除去できるという利点がある。
【００３３】
請求項５の発明においては、請求項１の効果に加えて、フロスの表面に突条をねじ山状に形成しているから、フロスの表面のねじ山状の突条によって、糸楊子を押し引き操作することで、フロスをねじ回転させることができ、残滓やプラーク等を、一層、良好に除去できるという利点がある。
【００３４】
請求項６の発明においては、請求項１の効果に加えて、合成樹脂製の保持部に一体に柄を設け、柄の先端に妻楊子を形成しているから、必要に応じて糸楊子と妻楊子の使用がおこなえるという利点がある。
【００３５】
請求項７の発明においては、請求項６の効果に加えて、妻楊子の先端部をゴム質材にて成形しているから、妻楊子の使用に際しても、口腔内を傷つけるのを防止することができるという利点がある。
【図面の簡単な説明】
【図１】本発明の実施の一形態を示し、（ａ）は側面図、（ｂ）は部分拡大断面図、（ｃ）は他の実施の形態の部分拡大断面図である。
【図２】（ａ）は同上のフロスの断面図、（ｂ）（ｃ）（ｄ）は同上の他の実施の形態の断面図である。
【図３】（ａ）（ｂ）（ｃ）（ｄ）はフロスの各々他の実施の形態の部分拡大正面図である。
【図４】従来例の斜視図である。
【符号の説明】
１  フロス
２  保持部
【図１】
2004174110.tif 000003
【図２】
2004174110.tif 000004
【図３】
2004174110.tif 000005
【図４】
2004174110.tif 000006